(57)【要約】【課題】施工が簡単で美観性の優れた室内配線装置を提供する。【解決手段】室内に設けられる室内造作材６に長手方向にわたる配線スペース２を形成し、室内造作材６のうち天井に設けられた室内造作材６から、間仕切り体７を垂設し、この間仕切り体７に間仕切り体７の表面に沿ってスライド可能なコンセント７０を付設し、室内造作材６の一つは室内に設けられた電源供給用の端子に取り付けられる取付具を有し、前記コンセント７０に、前記取付具から連設されて前記配線スペース２および間仕切り体７の内部に収納配線された配線を接続してなるようにした。【選択図】図１
2010233329.tif 000002
【特許請求の範囲】
【請求項１】
室内に設けられる室内造作材に長手方向にわたる配線スペースを形成し、室内造作材のうち天井に設けられた室内造作材から、間仕切り体を垂設し、この間仕切り体に間仕切り体の表面に沿ってスライド可能なコンセントを付設し、室内造作材の一つは室内に設けられた電源供給用の端子に取り付けられる取付具を有し、前記コンセントに、前記取付具から連設されて前記配線スペースおよび間仕切り体の内部に収納配線された配線を接続してなる室内配線装置。
【請求項２】
室内造作材として天井周囲に設けられる廻り縁材と天井面に設けられ廻り縁材に連結する付け梁とを有し、前記付け梁は長手方向にスライド可能な引掛けシーリング用の取付具を有し、前記引掛けシーリング用の取付具から連設された配線を配線スペースおよび間仕切り体の内部に収納配線してコンセントと接続することを特徴とする請求項１記載の室内配線装置。
【請求項３】
室内造作材として天井周囲に設けられる廻り縁材と天井面に設けられ廻り縁材に連結する付け梁と、壁面に設けられ廻り縁材と連結する付け柱とを有し、前記付け柱は長手方向にスライド可能な壁面コンセント用の取付具を有し、前記壁面コンセント用の取付具から連設された配線を配線スペースおよび間仕切り体の内部に収納配線してコンセントと接続することを特徴とする請求項１に記載の室内配線装置。
【請求項４】
室内造作材は、内部が中空になるように形成され、この中空部分が配線スペースとなることを特徴とする請求項１乃至３のいずれか一項に記載の室内配線装置。
【請求項５】
室内造作材には、室内に露出する凹溝が長手方向に形成され、この凹溝が配線スペースとなることを特徴とする請求項１乃至４のいずれか一項に記載の室内配線装置。
【発明の詳細な説明】
【技術分野】
【０００１】
本願発明は、配線を収容することが可能な室内配線装置に関するものである。
【背景技術】
【０００２】
従来から、特開平１０−６６２２２号公報（特許文献１）に示されるように、配線を内装し且つ天井に取り付けられる天井ワイヤリングユニットと、天井ワイヤリングユニットに稼動自在に設けられる間仕切り壁とで成る間仕切り装置は知られている。この間仕切り装置は天井ワイヤリングユニットに配線を内装するための配線樋部が設けられており、間仕切り壁には電気コンセント等の配線器具が設けられている。そして配線樋部に内装された配線はコネクタを介して間仕切り壁の配線器具に接続されている。
したがって、この間仕切り装置によれば、天井内に配線を埋設したりすることなく、天井下面に天井ワイヤリングユニットを設置するのみで配線することができるので、施工が簡略化でき、また、間仕切り壁部分に簡単に配線器具を配置することができ間仕切り壁で間仕切りしたといえども配線器具の使い勝手が向上するとされている。
【先行技術文献】
【特許文献】
【０００３】
【特許文献１】特開平１０−６６２２２号公報
【発明の概要】
【発明が解決しようとする課題】
【０００４】
しかしながら、上記従来例である間仕切り装置にあっては、配線樋部に収納された内装の配線の端部を、天井ワイヤリングユニットの外側に設けられた電源供給用の端子と接続させる必要があり、接続作業を要するものであった。また、配線樋部から配線を引き出して電源供給用の室内端子に接続する場合は、配線が室内に露出し美観性が優れないといった問題点を有していた。
【０００５】
本願発明は、上記背景技術に鑑みて発明されたものであり、その課題は、施工が簡単で美観性の優れた室内配線装置を提供することである。
【課題を解決するための手段】
【０００６】
上記課題を解決するために、本願請求項１記載の発明では、室内に設けられる室内造作材に長手方向にわたる配線スペースを形成し、室内造作材のうち天井に設けられた室内造作材から、間仕切り体を垂設し、この間仕切り体に間仕切り体の表面に沿ってスライド可能なコンセントを付設し、室内造作材の一つは室内に設けられた電源供給用の端子に取り付けられる取付具を有し、前記コンセントに、前記取付具から連設されて前記配線スペースおよび間仕切り体の内部に収納配線された配線を接続してなるようにしている。
【０００７】
又、本願請求項２記載の発明では、上記請求項１記載の室内配線装置において、室内造作材として天井周囲に設けられる廻り縁材と天井面に設けられ廻り縁材に連結する付け梁とを有し、前記付け梁は長手方向にスライド可能な引掛けシーリング用の取付具を有し、前記引掛けシーリング用の取付具から連設された配線を配線スペースおよび間仕切り体の内部に収納配線してコンセントと接続することを特徴としている。
【０００８】
又、本願請求項３記載の発明では、上記請求項１に記載の室内配線装置において、室内造作材として天井周囲に設けられる廻り縁材と天井面に設けられ廻り縁材に連結する付け梁と、壁面に設けられ廻り縁材と連結する付け柱とを有し、前記付け柱は長手方向にスライド可能な壁面コンセント用の取付具を有し、前記壁面コンセント用の取付具から連設された配線を配線スペースおよび間仕切り体の内部に収納配線してコンセントと接続することを特徴としている。
【０００９】
又、本願請求項４記載の発明では、上記請求項１乃至３のいずれか一項に記載の室内配線装置において、室内造作材は、内部が中空になるように形成され、この中空部分が配線スペースとなることを特徴としている。
【００１０】
又、本願請求項５記載の発明では、上記請求項１乃至４のいずれか一項に記載の室内配線装置において、室内造作材には、室内に露出する凹溝が長手方向に形成され、この凹溝が配線スペースとなることを特徴としている。
【発明の効果】
【００１１】
本願請求項１記載の発明の室内配線装置においては、室内に設けられる室内造作材に長手方向にわたる配線スペースを形成し、室内造作材のうち天井に設けられた室内造作材から、間仕切り体を垂設し、この間仕切り体に間仕切り体の表面に沿ってスライド可能なコンセントを付設し、室内造作材の一つは室内に設けられた電源供給用の端子に取り付けられる取付具を有し、前記コンセントに、前記取付具から連設されて前記配線スペースおよび間仕切り体の内部に収納配線された配線を接続してなるので、室内造作材に設けられた取付具を電源供給用端子に取り付けて電源と接続されたコンセントを備える間仕切り体を簡単に提供することができ、また、室内配線装置の外側に配線を引き出して電源を取得する必要がないので美観性の優れた室内配線装置を提供することができる。
【００１２】
又、本願請求項２記載の発明の室内配線装置においては、特に、室内造作材として天井周囲に設けられる廻り縁材と天井面に設けられ廻り縁材に連結する付け梁とを有し、前記付け梁は長手方向にスライド可能な引掛けシーリング用の取付具を有し、前記引掛けシーリング用の取付具から連設された配線を配線スペースおよび間仕切り体の内部に収納配線してコンセントと接続するので、取付具をスライドさせて所望の位置に調整し、引掛けシーリングに取付けることによって、電源と接続されたコンセントを備える間仕切り体を提供することができる。
【００１３】
又、本願請求項３記載の発明の室内配線装置においては、特に、室内造作材として天井周囲に設けられる廻り縁材と天井面に設けられ廻り縁材に連結する付け梁と、壁面に設けられ廻り縁材と連結する付け柱とを有し、前記付け柱は長手方向にスライド可能な壁面コンセント用の取付具を有し、前記壁面コンセント用の取付具から連設された配線を配線スペースおよび間仕切り体の内部に収納配線してコンセントと接続するので、取付具をスライドさせて所望の位置に調整し、コンセントに取付けることによって、電源と接続されたコンセントを備える間仕切り体を提供することができる。
又、本願請求項４記載の発明の室内配線装置においては、特に、室内造作材は、室内造作材は、内部が中空になるように形成され、この中空部分が配線スペースとなるので、内部の中空部に配線を収納することで外側に配線が露出せず、美観性の優れた室内配線装置を提供することができる。
又、本願請求項５記載の発明の室内配線装置においては、特に、室内造作材には、室内に露出する凹溝が長手方向に形成され、この凹溝が配線スペースとなるので、室内に露出した凹溝から配線を取り出して間仕切り体の内部に配線を収納すれば間単に配線を収納配線することができる。
【図面の簡単な説明】
【００１４】
【図１】本願発明の実施形態における室内配線装置を示す全体図。
【図２】本願発明の実施形態における廻り縁材を示す斜視図。
【図３】本願発明の実施形態における廻り縁材を示す断面図。
【図４】本願発明の実施形態における付け梁を示す斜視図。
【図５】本願発明の実施形態における付け梁を示す断面図。
【図６】本願発明の実施形態における付け柱を示す斜視図。
【図７】本願発明の実施形態における付け柱を示す断面図。
【図８】本願発明の実施形態における間仕切り体を示す分解斜視図。
【図９】本願発明の実施形態における間仕切り体を示す断面図。
【発明を実施するための形態】
【００１５】
図１〜９は、本願発明における実施形態の室内配線装置を示している。この室内配線装置は、室内に設けられる室内造作材６に長手方向にわたる配線スペース２を形成し、室内造作材６のうち天井に設けられた室内造作材６から、間仕切り体７を垂設し、この間仕切り体７に間仕切り体７の表面に沿ってスライド可能なコンセント７０を付設し、室内造作材６の一つは室内に設けられた電源供給用の端子４に取り付けられる取付具５を有し、前記コンセント７０に、前記取付具５から連設されて前記配線スペース２および間仕切り体７の内部に収納配線された配線を接続してなっている。
また、この室内配線装置では、室内造作材６として天井周囲に設けられる廻り縁材１と天井面に設けられ廻り縁材１に連結する付け梁３ａとを有し、前記付け梁３ａは長手方向にスライド可能な引掛けシーリング４ａ（電源供給用の端子４）用の引掛けシーリング取付具５ａを有し、前記引掛けシーリング取付具５ａから連設された配線を配線スペース２および間仕切り体７の内部に収納配線してコンセント７０と接続している。
また、この室内配線装置では、室内造作材６として天井周囲に設けられる廻り縁材１と、壁面に設けられ廻り縁材１と連結する付け柱３ｂとを有し、前記付け柱３ｂは長手方向にスライド可能であり壁面に設けられた壁面コンセント４ｂ（電源供給用の端子４）用の壁面コンセント取付具５ｂを有し、前記壁面コンセント取付具５ｂから連設された配線を配線スペース２および間仕切り体７の内部に収納配線して間仕切り体７に付設されたコンセント７０と接続している。
また、この室内配線装置では、室内造作材６は、内部が中空８になるように形成され、この中空部分が配線スペース２となっている。
また、この室内配線装置では、室内造作材６には、室内に露出する凹溝９が長手方向に形成され、この凹溝９が配線スペース２となっている。
以下、この実施形態の室内配線装置を、より具体的詳細に説明する。廻り縁材１は天井面と壁面とで構成される角部にそって設けられる長尺の部材であって、廻り縁材１は壁面に接する平板状の側面部１０と、側面部１０の上端部と一方の端部が連続し天井面に接する平板状の上面部１１と、側面部１０の下端部と上面部１１の前記一方の端部と反対側の端部とが連続してなる平板状の傾斜面部１２とを備え、側面部１０と上面部１１と傾斜面部１２とが枠体を構成し、この枠体によって囲まれる内部は中空８となっている。また、枠体である、廻り縁材１には凹溝９が長手方向にそって２箇所形成されており、それぞれの凹溝９は室内側に開口し、一つの凹溝９の開口は略垂直下方向、もう一方の凹溝９の開口は略水平方向に露出している。また、長尺の廻り縁材１の長手方向の一方の端部は、側面部１０と上面部１１と傾斜面部１２からなる枠体の一部が中空８を囲むように突出している突起部１３を備え、廻り縁材１の長手方向のもう一方の端部は前記突起部１３に嵌合する凹部（図示せず）が形成されている。よって２つ以上の廻り縁材１の突起部１３と凹部を嵌合させて、廻り縁材１を長手方向に延設し、所望の長さ備える廻り縁材１を天井周囲に設けることができる。なお、廻り縁材１はビスや接着剤などにより天井面または壁面に固定される。
付け梁３ａは、天井面に設けられ、廻り縁材１の間に架設される長尺の部材であり、廻り縁材１に直交して連結するものである。付け梁３ａは、長手方向に一連に凹所３０ａが形成された部材であり、断面略コ字型の形状を有する。凹所３０ａは上方に開口しており、付け梁３ａが天井面に設けられると凹所３０ａは天井面によって塞がれて、付け梁３ａの内部に中空８が形成される。また、付け梁３ａの両側の側面には、それぞれ略水平方向に開口した凹溝９が形成されている。なお、付け梁３ａは、その上端部から外側に突出し、天井面と略平行な対の突片３１ａを長手方向の所定箇所において備え、この突片３１ａには貫通孔が形成されており、この貫通孔にビスを挿入しビスが天井面に固定されることにより付け梁３ａは天井面に固定される。
また、付け梁３ａの長手方向の端部には、廻り縁材１の凹溝９に嵌合する接続部３２ａが突設されており、接続部３２ａが廻り縁材１の凹溝９に嵌合することにより、付け梁３ａと廻り縁材１に設けられた、それぞれの凹溝９が連通する。ここで、廻り縁材１の凹溝９の奥部には、長手方向の所定箇所において廻り縁材１の内部の中空８と通連する貫通孔が設けられており、この貫通孔が設けられた所定箇所において付け梁３ａの接続部３２ａを廻り縁材１の凹溝９に嵌合させれば、付け梁３ａの中空８と廻り縁材１の中空８とを通連させることができる。
ところで、付け梁３ａの凹所３０ａには、凹所３０ａに収まる引掛けシーリング４ａ用の引掛けシーリング取付具５ａが収められている。引掛けシーリング取付具５ａは、凹所３０ａにそってスライド可能な構成であり、天井面に設けられた引掛けシーリング４ａの位置に合わせて引掛けシーリング取付具５ａをスライドさせ、引掛けシーリング４ａに取り付けることができる。引掛けシーリング取付具５ａはその上面に上方に突出した一対の栓刃５１ａを備え、この栓刃５１ａが引掛けシーリング４ａの栓刃挿入口に挿入、回動され固定されることにより栓刃挿入口内部の端子と当接し、引掛けシーリング取付具５ａは引掛けシーリング４ａと電気的および機械的に接続される。また、引掛けシーリング取付具５ａには配線が連設されており、この配線は引掛けシーリング取付具５ａを介して引掛けシーリング４ａと電気的に接続されるものであり、この配線が配線スペース２に収められ、配線スペース２の所望の位置で配線の端部に設けられたアダプタを引き出して、アダプタに電気機器の電源接続用端子を接続させることにより電気機器の動作電源を得ることができる。
付け柱３ｂは、壁面に沿って設けられ、廻り縁材１から床面にわたって設けられる長尺の部材であり、廻り縁材１に直交して連結するものである。付け柱３ｂは、長手方向に一連に凹所３０ｂが形成された部材であり、断面略コ字型の形状を有する。凹所３０ｂは壁面に向かって開口しており、付け柱３ｂが壁面に沿って設けられると凹所３０ｂは壁面によって塞がれて、付け柱３ｂの内部に中空８が形成される。また、付け柱３ｂの両側の側面には、凹溝９が形成されている。なお、付け柱３ｂは、その壁面に接する端部から外側に突出し、壁面と略平行な対の突片３１ｂを長手方向の所定箇所において備え、この突片３１ｂには貫通孔が形成されており、この貫通孔にビスを挿入しビスが壁面に固定されることにより付け柱３ｂは壁面に固定される。
また、付け柱３ｂの長手方向の一方の端部には、廻り縁材１の凹溝９に嵌合する接続部３２ｂが突設されており、接続部３２ｂが廻り縁材１の凹溝９に嵌合することにより、付け柱３ｂと廻り縁材１に設けられた、それぞれの凹溝９が連通する。ここで、廻り縁材１の凹溝の奥部９には、長手方向の所定箇所において廻り縁材１の内部の中空８と通連する貫通孔が設けられており、この貫通孔が設けられた所定箇所において付け柱３ｂの接続部３２を廻り縁材１の凹溝９に嵌合させれば、付け柱３ｂの中空８と廻り縁材１の中空８とを通連させることができる。
ところで、付け柱３ｂの凹所３０ｂには、凹所３０ｂに収まる壁面コンセント取付具５ｂが収められている。この壁面コンセント取付具５ｂは、壁面に設けられた壁面コンセント４ｂ用の取付具であり、凹所３０ｂにそってスライド可能な構成であり、壁面に設けられた壁面コンセント４ｂの位置に合わせて壁面コンセント取付具５ｂをスライドさせ、壁面に設けられた壁面コンセント４ｂに取り付けることができる。壁面コンセント取付具５ｂはその端面に壁面側に突出した一対の栓刃５１ｂを備え、この栓刃５１ｂが壁面に設けられた壁面コンセント４ｂの栓刃挿入口に挿入固定されることにより栓刃挿入口内部の端子と当接し、壁面コンセント取付具５ｂは壁面に設けられた壁面コンセント４ｂと電気的および機械的に接続される。また、壁面コンセント取付具５ｂには配線が連設されており、この配線は壁面コンセント取付具５ｂを介して、壁面に設けられた壁面コンセント４ｂと電気的に接続されるものであり、この配線が配線スペース２に収めら、配線スペース２の所望の位置で配線の端部に設けられたアダプタを引き出して、アダプタに電気機器の電源接続用端子を接続させることにより電気機器の動作電源を得ることができる。
間仕切り体７は、室内造作材６のうち天井に設けられた室内造作材６、すなわち、廻り縁材１または付け梁３ａから垂設されるものであり、廻り縁材１または付け梁３ａに固定される一対の支柱７１と、一対の支柱７１の間に配置され一対の支柱７１に固定されることにより部屋を間仕切る間仕切りパネル７２と、間仕切りパネル７２の上端部に一連に取り付けられる上部フレーム７３と、を備えている。
また、間仕切りパネル７２には長尺状の中間フレーム７４が埋設されている。中間フレーム７４は長手方向の長さが、間仕切りパネル７２の横方向（水平方向の）長さと略同一の枠状のフレームであり、その一辺が長手方向にわたって一連に開口している。この中間フレーム７４は、開口が間仕切りパネル７２の一表面側において露出するように、すなわち中間フレーム７４の開口が室内側に露出するように間仕切りパネル７２に埋設されている。ところで、中間フレーム７４の開口側に位置する２つの先端部は開口に向かって屈曲し、２つの先端部がそれぞれ対向して一対の突片となり、開口の面積を狭める構成となっている。
コンセント７０は、上述の中間フレームに嵌合する外形を有し、中間フレーム７４の一対の突片によって中間フレーム７４に係止されるとともに、中間フレーム７４の開口に沿ってスライド可能な構成となっている。このコンセント７０には、前述の引掛けシーリング取付具５ａまたは、壁面コンセント取付具５ｂから連設された配線が接続されている。
ところで、一対の支柱７１のうち少なくとも一方の支柱７１には、間仕切りパネル７２に当接する面に配線溝が形成されており、支柱７１が廻り縁材１または付け梁３ａに固定されると廻り縁材１または付け梁３ａに設けられた凹溝９と支柱７１に設けられた配線溝が通連するようになっている。また、間仕切りパネル７２が支柱に固定されると間仕切りパネル７２に埋設された中間フレーム７４の開口と支柱７２に設けられた配線溝が通連する構成となっている。なお、支柱７１は廻り縁材１または付け梁３ａにビス止めによって固定され、この固定された支柱７１に間仕切りパネル７２もビス止めによって固定されている。
したがって、廻り縁材１または付け梁３ａに設けられた凹溝９と支柱７１に設けられた配線溝と中間フレーム７４の開口とは通連しており、前述の引掛けシーリング取付具５ａまたは、壁面コンセント取付具５ｂから連設された配線を、廻り縁材１または付け梁３ａに設けられた凹溝９と、間仕切り体７の内部である支柱７１に設けられた配線溝と、間仕切り体７の内部である中間フレーム７４の開口に収納配線してコンセント７０に接続させることができる。また、上部フレーム７３の間仕切りパネル７２に当接する面に支柱７１に設けられた配線溝と連続する配線溝を形成し、間仕切りパネル７２の内部に縦方向（垂直方向）に中空部分を設け、この中空部分によって間仕切りパネル７２の上端から中間フレーム７４を連続させ、引掛けシーリング取付具５ａまたは、壁面コンセント取付具５ｂから連接された配線を、廻り縁材１または付け梁３ａに設けられた凹溝９と、支柱７１に設けられた配線溝と、上部フレーム７３に設けられた配線溝と、間仕切り体７の内部の中空部分と、中間フレーム７４の開口に収納配線してコンセント７０に接続させてもよい。
なお、本実施形態では、引掛けシーリング取付具５ａを引掛けシーリング４ａに接続し、壁面コンセント取付具５ｂを壁面の壁面コンセント４ｂに接続し、それぞれ電源を取得しているが、引掛けシーリング取付具５ａまたは壁面コンセント取付具５ｂのどちらか一方だけを用意して電源を取得する構成としてもよい。
したがって、本実施形態の室内配線装置によれば、付け梁３ａに設けられた引掛けシーリング取付具５ａを引掛けシーリング４ａに取り付けて電源と接続されたコンセント７０を備える間仕切り体７を簡単に提供することがでる。もちろん、付け柱３ｂに設けられた壁面コンセント取付具５ｂを壁面に設けられた壁面コンセント４ｂに取り付けて電源と接続されたコンセント７０を備える間仕切り体７を提供してもよい。よって、室内配線装置の外側に配線を引き出して、例えば引掛けシーリング４ａや壁面の壁面コンセント４ｂから電源を取得する必要がないので美観性の優れた室内配線装置を提供することができる。
また、引掛けシーリング取付具５ａまたは、壁面コンセント取付具５ｂから連設された配線は、廻り縁材１または付け梁３ａに設けられた凹溝９と、間仕切り体７の内部である支柱７１に設けられた配線溝と、間仕切り体７の内部である中間フレーム７４の開口にわたって収納配線されて、コンセント７０に接続させているので、室内配線装置の外側に配線が露出せず、美観性の優れた室内配線装置を提供することができる。
また、引掛けシーリング取付具５ａまたは壁面コンセント取付具５ｂは凹所３０ａ、または凹所３０ｂに沿ってスライド可能であるので、引掛けシーリング取付具５ａ、または壁面コンセント取付具５ｂをスライドさせて所望の位置に調整し、引掛けシーリング４ａまたは壁面の壁面コンセント５ｂに取付けることによって、引掛けシーリング取付具５ａ、または壁面コンセント取付具５ｂを簡単に電源と接続させることができる。
また、室内造作材６である、廻り縁材１、付け梁３ａおよび付け柱３ｂには内部に中空８が存在しこの中空８に配線を収納することで室内造作材６の外側に配線が露出せず、美観性の優れた室内配線装置を提供することができる。
また、室内造作材６である、廻り縁材１、付け梁３ａおよび付け柱３ｂには室内に露出した凹溝９形成されており、この凹溝９から配線を取り出して間仕切り体７の内部に配線を収納すれば間単に配線を収納配線することができる。
【符号の説明】
【００１６】
１  廻り縁材
２  配線スペース
３ａ  付け梁
３ｂ  付け柱
４ａ  引掛けシーリング
４ｂ  壁面コンセント
５ａ  引掛けシーリング取付具
５ｂ  壁面コンセント取付具
６  室内造作材
７  間仕切り体
８  中空
９  凹溝
【図１】
2010233329.tif 000003
【図２】
2010233329.tif 000004
【図３】
2010233329.tif 000005
【図４】
2010233329.tif 000006
【図５】
2010233329.tif 000007
【図６】
2010233329.tif 000008
【図７】
2010233329.tif 000009
【図８】
2010233329.tif 000010
【図９】
2010233329.tif 000011